(57)【要約】【課題】アウトスライド扉のシール構造に関し、品質感を損ねることなく、車室内への水の侵入を効果的に防止することができる。【解決手段】扉本体１１の上縁部に設けられて車両前後方向に延びる上側シール部材２０と、扉本体１１の戸元側又は戸先側の少なくとも一方に設けられて上下方向に延びる排水流路３３，６０とを備え、上側シール部材２０は、車両外側の端部から上方に突出すると共に車両前後方向に延びる封鎖部２１と、封鎖部２１よりも車室側の上面部に形成されて車両前後方向に延びると共に、その端部を排水流路３３，６０の上端部に隣接させた排水溝２３とを有する。【選択図】図３
2015009667.tif 000002
【特許請求の範囲】
【請求項１】
車両側面に配置され、開扉時は扉本体を車両幅方向及び車両前後方向に移動させると共に、閉扉時は扉本体を車両前後方向及び車両幅方向に移動させるアウトスライド扉のシール構造であって、
前記扉本体の上縁部に設けられて車両前後方向に延びる上側シール部材と、
前記扉本体の戸元側又は戸先側の少なくとも一方に設けられて上下方向に延びる排水流路と、を備え、
前記上側シール部材は、車両外側の端部から上方に突出すると共に車両前後方向に延びる封鎖部と、当該封鎖部よりも車室側の上面部に形成されて車両前後方向に延びると共に、その端部を前記排水流路の上端部に隣接させた少なくとも一本の排水溝と、を有する
ことを特徴とするアウトスライド扉のシール構造。
【請求項２】
前記扉本体の戸元側縁部に設けられて上下方向に延びる戸元側シール部材をさらに備え、当該戸元側シール部材の少なくとも一部に前記戸元側の排水流路を形成した
請求項１記載のアウトスライド扉のシール構造。
【請求項３】
前記扉本体の戸先側縁部に設けられて上下方向に延びる戸先側シール部材をさらに備え、当該戸先側シール部材の少なくとも一部に前記戸先側の排水流路を形成した
請求項１又は２に記載のアウトスライド扉のシール構造。
【請求項４】
前記扉本体の戸元側又は戸先側の少なくとも一方のフレーム内に、上下方向に延びると共に前記排水流路を構成する中空部が形成される
請求項１から３の何れか一項に記載のアウトスライド扉のシール構造。
【発明の詳細な説明】
【技術分野】
【０００１】
本発明は、アウトスライド扉のシール構造に関する。
【背景技術】
【０００２】
車両側面に形成された乗降口に配置される開閉扉として、一対の扉を車幅方向外側に張り出させた後、車両前後方向にそれぞれスライドさせて開扉するアウトスライド扉が知られている（例えば、特許文献１参照）。
【０００３】
このようなアウトスライド扉によれば、戸袋を必要としないため、車室における収納スペースを最小にし、且つ立席スペースを拡大することができる。
【先行技術文献】
【特許文献】
【０００４】
【特許文献１】特開２０１０−１２６８９１号公報
【発明の概要】
【発明が解決しようとする課題】
【０００５】
ところで、一般的なアウトスライド扉のシール構造は、図７に示すように、乗降口４００の開口上縁から下方に突出して設けられたフランジ１２０と、そのフランジに設けられたシール部材１１０とを備え構成されている。このようなシール構造では、扉本体１００の上縁部に溜まった水を外部に排出する経路が確保されていないため、シール部材１１０の背面に漏れ出た水が車室内に垂れる可能性がある。また、漏れ出た水が扉本体１００の車室側の側面を伝い落ちるため、品質感が損なわれるといった課題もある。
【０００６】
本発明の目的は、品質感を損ねることなく、車室内への水の侵入を効果的に防止することができるアウトスライド扉のシール構造を提供することにある。
【課題を解決するための手段】
【０００７】
上述の目的を達成するため、本発明のアウトスライド扉のシール構造は、車両側面に配置され、開扉時は扉本体を車両幅方向及び車両前後方向に移動させると共に、閉扉時は扉本体を車両前後方向及び車両幅方向に移動させるアウトスライド扉のシール構造であって、前記扉本体の上縁部に設けられて車両前後方向に延びる上側シール部材と、前記扉本体の戸元側又は戸先側の少なくとも一方に設けられて上下方向に延びる排水流路と、を備え、前記上側シール部材は、車両外側の端部から上方に突出すると共に車両前後方向に延びる封鎖部と、当該封鎖部よりも車室側の上面部に形成されて車両前後方向に延びると共に、その端部を前記排水流路の上端部に隣接させた少なくとも一本の排水溝と、を有することを特徴とする。
【０００８】
また、前記扉本体の戸元側縁部に設けられて上下方向に延びる戸元側シール部材をさらに備え、当該戸元側シール部材の少なくとも一部に前記戸元側の排水流路を形成してもよい。
【０００９】
また、前記扉本体の戸先側縁部に設けられて上下方向に延びる戸先側シール部材をさらに備え、当該戸先側シール部材の少なくとも一部に前記戸先側の排水流路を形成してもよい。
【００１０】
また、前記扉本体の戸元側又は戸先側の少なくとも一方のフレーム内に、上下方向に延びると共に前記排水流路を構成する中空部が形成されてもよい。
【発明の効果】
【００１１】
本発明のアウトスライド扉のシール構造によれば、品質感を損ねることなく、車室内への水の侵入を効果的に防止することができる。
【図面の簡単な説明】
【００１２】
【図１】本発明の一実施形態に係るアウトスライド扉を示す模式的な斜視図である。
【図２】本発明の一実施形態に係るアウトスライド扉において、扉本体の開閉動作を説明する模式的な平面図である。
【図３】本発明の一実施形態に係るアウトスライド扉のシール構造を示す模式的な縦断面図である。
【図４】本発明の一実施形態に係るアウトスライド扉のシール構造を示す模式的な横断面図である。
【図５】本発明の一実施形態に係るアウトスライド扉のシール構造を示す模式的な斜視図である。
【図６】本発明の一実施形態に係るアウトスライド扉のシール構造を示す模式的な斜視図である。
【図７】従来のアウトスライド扉のシール構造を示す模式的な縦断面図である。
【発明を実施するための形態】
【００１３】
以下、添付図面に基づいて、本発明の一実施形態に係るアウトスライド扉のシール構造を説明する。同一の部品には同一の符号を付してあり、それらの名称および機能も同じである。したがって、それらについての詳細な説明は繰返さない。
【００１４】
まず、図１，２に基づいて、本実施形態のシール構造が適用されるアウトスライド扉１０の全体構成から説明する。本実施形態のアウトスライド扉１０は、例えば、バス等の車両側面に形成された乗降口７０に配置されるものである。なお、図１中において、アウトスライド扉１０は前輪と後輪との間に配置される中扉として示されているが、例えば前扉や後扉であってもよい。
【００１５】
アウトスライド扉１０は、乗降口７０を開閉可能な一対の扉本体１１を備えて構成されている。より詳しくは、図２に示すように、扉本体１１の車室側には、車両前後方向に延在するガイドレール１２が設けられると共に、このガイドレール１２には、ガイド溝に沿って移動可能なローラ１３が配置されている。ローラ１３は、アーム１４の先端部に回転自在に軸支されると共に、アーム１４の基端部は、車体８０に回動可能に支持されている。
【００１６】
すなわち、開扉動作時は、アーム１４が回動して扉本体１１を車幅方向外側に移動させた後、ローラ１３がガイドレール１２に沿って移動して扉本体１１を車両前後方向にスライドさせる。一方、閉扉動作時は、ローラ１３がガイドレール１２に沿って移動して扉本体１１を車両前後方向にスライドさせた後、アーム１４が回動して扉本体１１を車幅方向内側に移動させるように構成されている。
【００１７】
次に、図３〜６に基づいて、本実施形態のシール構造の詳細構成を説明する。
【００１８】
図３に示すように、扉本体１１の上縁部には、ゴム等の弾性部材で形成された上側シール部材２０が設けられている。この上側シール部材２０は、車外側の側面から上方に突出して形成された上側封鎖部２１と、上側封鎖部２１よりも車室側の上面部に形成された水切り段差部２２と、水切り段差部２２よりも車室側の上面部に凹設された排水溝２３と、排水溝２３よりも車室側に形成された堰部２４とを備えている。また、上側シール部材２０から間隔を隔てた乗降口７０の開口上縁には、車外側に突出すると共に上方に折り曲げられた略Ｌ字状のフランジ部６０が取り付けられている。このフランジ部６０は、ゴム等の弾性部材で形成されている。
【００１９】
上側封鎖部２１は、車両前後方向に延びると共に、車外側に張り出すように縦断面形状を略円弧状に湾曲して形成されている。また、上側封鎖部２１の背面側には、車体８０の外壁面（フランジ部６０の縦側面）から流入する水を捕集するための凹部２１Ａが形成されている。この上側封鎖部２１は、閉扉時に先端部（上端部）をフランジ部６０の縦側面に接触させることで、扉本体１１と乗降口７０との間の隙間を封鎖する。すなわち、上側封鎖部２１の先端部は、閉扉時に車体８０の外壁面に直接当たることなく、フランジ部６０に当たるように構成されている。これにより、車体８０の塗装面等が受ける外傷を効果的に防止することができる。
【００２０】
排水溝２３は、車両前後方向に延びると共に水切り段差部２２よりも下方に凹むように、その断面形状を略Ｕ字状に形成されている。この排水溝２３には、中心から車両前後方向の両端部に向かって次第に深くなる傾斜が設けられている。すなわち、水切り段差部２２から流れ込んだ水は、排水溝２３内を車両前後方向に案内されて両端部に到達する。そして、両端部に到達した水は、詳細を後述する戸元側排水流路３３及び戸先側排水流路６０に向けて落下されるように構成されている（図５，６参照）。
【００２１】
堰部２４は、車両前後方向に延びると共に、その頂面が排水溝２３よりも上方に位置するように上方に突出して形成されている。すなわち、水が排水溝２３内から車室側に漏れ出した場合においても、車室内への侵入は堰部２４によって確実に防止されるように構成されている。
【００２２】
図４に示すように、扉本体１１の戸元端部には、例えばゴム等の弾性部材で形成された戸元側シール部材３０がそれぞれ設けられている。この戸元側シール部材３０は、上下方向に延びる基部３１と、基部３１と一体的に形成された戸元側封鎖部３２と、戸元側排水流路３３とを備えている。
【００２３】
基部３１は、先端側を略円弧状に突出させると共に、基端側を扉本体１１の戸元側端部に固定されている。本実施形態において、基部３１は、基端側に形成された凸部を扉本体１１の戸元側縁部に凹設された溝と嵌合させることで固定されている。
【００２４】
戸元側封鎖部３２は、基部３１の側部から車外側に突出すると共に、横断面形状を略円弧状に湾曲して形成されている。この戸元側封鎖部３２は、閉扉時に先端部を車体８０の外壁面と接触させることで、扉本体１１の戸元側と乗降口７０との間の隙間を封鎖する。
【００２５】
戸元側排水流路３３は、基部３１の側面と戸元側封鎖部３２の背面とにより略Ｖ字状に囲まれた空間で形成されている。この戸元側排水流路３３の上方には、排水溝２３の戸元側端部が隣接して配置されている（図５参照）。すなわち、排水溝２３の戸元側端部から流れ落ちる水は、戸元側排水流路３３の上端に流入し、戸元側排水流路３３内を下端まで流れ落ちた後、外部（車外）に排出されるように構成されている。
【００２６】
扉本体１１の戸先端部には、例えばゴム等の弾性部材で形成された戸先側シール部材４０，５０がそれぞれ設けられている。車両前方側の戸先側シール部材４０は、上下方向に延びる基部４１と、基部４１と一体的に形成された戸先側封鎖部４２とを備えている。一方、車両後方側の戸先側シール部材５０は、上下方向に延びる基部５１と、基部５１の側面に形成されて上下方向に延びる受容溝５２とを備えている。
【００２７】
基部４１，５１は、先端側を略円弧状に突出させると共に、基端側を扉本体１１の戸先側端部に固定されている。戸先側封鎖部４２は、基部４１の側部から車外側に突出すると共に、横断面形状を略円弧状に湾曲して形成されている。この戸先側封鎖部４２は、閉扉時にその先端部を受容溝５２に接触させることで、基部４１，５１間の隙間を封鎖する。
【００２８】
本実施形態において、戸先側排水流路６０は、閉扉時に基部４１，５１の側面と戸先側封鎖部４２の背面とにより囲まれる空間で形成されている。この戸先側排水流路６０の上方には、排水溝２３の戸先側端部が隣接して配置されている（図６参照）。すなわち、排水溝２３の戸先側端部から流れ落ちる水は、戸先側排水流路６０の上端に流入し、戸先側排水流路６０内を下端まで流れ落ちた後、外部（車外）に排出されるように構成されている。
【００２９】
なお、戸元側排水流路３３及び戸先側排水流路６０は、必ずしも戸元側シール部材３０や戸先側シール部材４０，５０で構成される必要はなく、例えば、扉本体１１のフレーム内に形成された上下方向に延びる戸元側中空部３５又は戸先側中空部６２によって構成することもできる。
【００３０】
次に、本実施形態に係るアウトスライド扉のシール構造による作用効果を説明する。
【００３１】
本実施形態のアウトスライド扉のシール構造では、扉本体１１の上縁部に設けられた上側シール部材２０に、車両前後方向に延びる排水溝２３が形成されている。この排水溝２３には、中心から車両前後方向に向かって次第に深くなる傾斜が設けられている。さらに、排水溝２３よりも車室側の上側シール部材２０には、上方に突出する堰部２４が設けられている。すなわち、上側シール部材２０に流れ込んだ水は、車室側に侵入することなく排水溝２３によって車両前後方向に案内されると共に、排水溝２３から漏れ出た場合においても堰部２４によって確実に堰き止められるように構成されている。
【００３２】
したがって、本実施形態のアウトスライド扉のシール構造によれば、上側シール部材２０に流れ込んだ水の車室内への侵入を確実に防止することができる。
【００３３】
また、本実施形態のアウトスライド扉のシール構造では、排水溝２３の両端部から流れ落ちる水を外部（車外）に排出するために、戸元側シール部材３０に戸元側排水流路３３が設けられると共に、戸先側シール部材４０，５０に戸先側排水流路６０が設けられている。これら排水流路３３，６０は乗客等に視認されないように、戸元側排水流路３３は基部３１と戸元側封鎖部３２の背面とにより囲まれる空間で形成されると共に、戸先側排水流路６０は基部４１，５１の側面と戸先側封鎖部４２とにより囲まれる空間で形成されている。
【００３４】
したがって、本実施形態のアウトスライド扉のシール構造によれば、乗客に視認されない経路を効果的に用いることで、品質感を損なうことなく排水を確実に行うことが可能になる。また、排水のために配管等を別途設ける必要がないため、コストの上昇を効果的に抑制することができる。
【００３５】
なお、本発明は、上述の実施形態に限定されるものではなく、本発明の趣旨を逸脱しない範囲で、適宜変形して実施することが可能である。
【００３６】
例えば、扉本体１１は二枚扉に限定されず、一枚扉であってもよい。また、車両はバスに限定されず、アウトスライド扉を適用可能であれば、他の車両（例えば電車等）であってもよい。これら何れの場合も上述の実施形態と同様の作用効果を奏することができる。
【符号の説明】
【００３７】
１０  アウトスライド扉
１１  扉本体
２０  上側シール部材
２１  上側封鎖部（封鎖部）
２２  水切り段差部
２３  排水溝
２４  堰部
３０  戸元側シール部材
３３  戸元側排水流路
４０，５０  戸先側シール部材
６０  戸先側排水流路
【図１】
2015009667.tif 000003
【図２】
2015009667.tif 000004
【図３】
2015009667.tif 000005
【図４】
2015009667.tif 000006
【図５】
2015009667.tif 000007
【図６】
2015009667.tif 000008
【図７】
2015009667.tif 000009